(57)【要約】      （修正有）【課題】大量の内部メモリーが不要で、アプリケーションによりクラウドオーディオビデオを再生するための読書ペンを提供する。【解決手段】非可視型コードが印刷されている本に使用される、アプリケーションによりクラウドオーディオビデオを再生するための読み取りペンであって、ワイヤレス伝送機能部１０と、内部メモリと、を具備し、ワイヤレス伝送機能部が、非可視型コードが印刷されている本から数値を獲得すると共に数値をスマートデバイスに伝送し、スマートデバイスが、各プラットフォームのアプリケーションソフトウェアと相互接続し、内部メモリ中に基本動作ソフトウェアのみがロードされ、他の音声データは搭載されないことを特徴とする。【選択図】図１
0003227858.tif 000002
【実用新案登録請求の範囲】
【請求項１】
非可視型コードが印刷されている本に使用される、アプリケーションによりクラウドオーディオビデオを再生するための読み取りペンであって、
ワイヤレス伝送機能部を具備し、
前記ワイヤレス伝送機能部が、非可視型コードが印刷されている本から数値を獲得すると共に前記数値をスマートデバイスに伝送し、
前記スマートデバイスが、各プラットフォームのアプリケーションソフトウェアと相互接続することを特徴とする、
アプリケーションによりクラウドオーディオビデオを再生するための読み取りペン。
【請求項２】
前記スマートデバイスが、テレビ、アンドロイド（登録商標）スマートフォン、ｉＰｈｏｎｅ（登録商標）、タブレット端末、又はノートパソコンを含むことを特徴とする請求項１に記載のアプリケーションによりクラウドオーディオビデオを再生するための読み取りペン。
【請求項３】
前記アプリケーションソフトウェアが、ユーザー管理情報、オーディオダウンロード、ビデオダウンロード、クラウドブック管理、又はオーディオビデオ再生機能を含むことを特徴とする請求項１に記載のアプリケーションによりクラウドオーディオビデオを再生するための読み取りペン。
【請求項４】
前記アプリケーションソフトウェアが、クラウドサーバーを介してクラウド管理を行うことを特徴とする請求項１に記載のアプリケーションによりクラウドオーディオビデオを再生するための読み取りペン。
【請求項５】
前記アプリケーションソフトウェアが、アプリケーションでオーディオビデオを再生することにより対応するオーディオビデオの数値再生を行うことを特徴とする請求項１に記載のアプリケーションによりクラウドオーディオビデオを再生するための読み取りペン。
【請求項６】
前記ワイヤレス伝送機能部が、無線伝送手段によって前記スマートデバイスに接続されることを特徴とする請求項１に記載のアプリケーションによりクラウドオーディオビデオを再生するための読み取りペン。
【請求項７】
前記スマートデバイスが、Ｗｉｆｉ（登録商標）又はＢｌｕｅｔｏｏｔｈ（登録商標）を介して前記各プラットフォームのアプリケーションソフトウェアに接続されることを特徴とする請求項１に記載のアプリケーションによりクラウドオーディオビデオを再生するための読み取りペン。
【請求項８】
内部メモリ中に基本動作ソフトウェアのみがロードされ、他の音声データは搭載されないことを特徴とする請求項１に記載のアプリケーションによりクラウドオーディオビデオを再生するための読み取りペン。
【考案の詳細な説明】
【技術分野】
【０００１】
本考案は、クラウドオーディオビデオを再生するための読み取りペンに関し、更に詳しくは、アプリケーションによりクラウドオーディオビデオを再生するための読み取りペンに関する。
【背景技術】
【０００２】
読み取りペンは、国際的な最新の光学画像認識技術及び先端のデジタルオーディオ技術により開発された新たなスマート閲読及び学習道具であり、電子製品と教育産業との完璧な融合を実現し、人間本位の科学技術という理念を体現している。読み取りペンは同時に読み取り、再読、シャドーイング、録音、娯楽等の様々な機能を実現している。
【考案の概要】
【考案が解決しようとする課題】
【０００３】
しかしながら、前述した従来の技術では、オーディオファイルやプログラムを保存するために大量のメモリを内蔵せねばならなかった。このため、製造コストが巨額になっており、内部メモリを如何に減らすかが本業界における重要な課題となっていた。
【０００４】
そこで、本考案者は上記の欠点が改善可能と考え、鋭意検討を重ねた結果、合理的設計で上記の課題を効果的に改善する本考案の提案に至った。
【０００５】
本考案は、かかる事情に鑑みてなされたものであり、その目的とするところは、アプリケーションによりクラウドオーディオビデオを再生するための読み取りペンを提供することにある。
【課題を解決するための手段】
【０００６】
上記課題を解決するために、本考案のある態様の、アプリケーションによりクラウドオーディオビデオを再生するための読み取りペンは、非可視型コードが印刷されている本及びワイヤレス伝送機能を具備する読み取りペンを含み、ワイヤレス伝送機能を具備する前記読み取りペンは非可視型コードが印刷されている本から数値を獲得すると共に数値をスマートデバイスに伝送させ、スマートデバイスと各プラットフォームのアプリケーションソフトウェアとの相互接続が行われる。
【０００７】
本考案の好適例において、前記スマートデバイスとしてテレビ、アンドロイド（登録商標）スマートフォン、ｉＰｈｏｎｅ（登録商標）、タブレット端末、及びノートパソコン等を含む。
【０００８】
本考案の好適例において、前記アプリケーションソフトウェアはユーザー管理情報、オーディオダウンロード、ビデオダウンロード、クラウドブック管理、及びオーディオビデオ再生機能を含む。
【０００９】
本考案の好適例において、前記各プラットフォームのアプリケーションソフトウェアはクラウドサーバーを介してクラウド管理を行う。
【００１０】
本考案の好適例において、前記各プラットフォームのアプリケーションソフトウェアはアプリケーションでオーディオビデオを再生することにより対応するオーディオビデオの数値再生を行う。
【００１１】
本考案の好適例において、ワイヤレス伝送機能を具備する前記読み取りペンはＷｉｆｉ（登録商標）やＢｌｕｅｔｏｏｔｈ（登録商標）を介して接続されている。
【００１２】
本考案によれば、従来の読み取りペンではオーディオファイルやプログラムを保存するために大量の内部メモリを内蔵する必要があり、製造コストが巨額になるという欠点を克服する。本考案に係るワイヤレス伝送機能を具備する前記読み取りペンは非可視型コードが印刷されている本から数値を獲得すると共に数値をスマートデバイスに伝送させ、スマートデバイスと各プラットフォームのアプリケーションソフトウェアとの相互接続が行われる。このため、全てのデータを読み取りペン本体の内部メモリに保存する必要がなく、コストが低下し、製品の普及率が高まる。
【００１３】
本考案の好適例において、前記スマートデバイスはＷｉｆｉやＢｌｕｅｔｏｏｔｈを介して接続されている。
【考案の効果】
【００１４】
本考案によれば、次のような効果がある。
１、オーディオビデオの再生端はローカルの表示装置になく、本考案のシステムはテレビ、ＴＶＢＯＸ、タブレット端末、携帯電話、ノートパソコン、デスクトップパソコン等の主流なスマートデバイスを広くサポートし、使用可能である。
２、ビデオソースをアップコンバート可能である。本考案のシステムはスマートデバイスのネット機能を利用してクラウドサーバーに接続され、使用者はアプリケーションを使用して必要なビデオソースのダウンロード、更新、及び管理を簡単便利に行える。
３、本考案のシステムはクロスプラットフォームのアプリケーションソフトウェアシステムを採用しており、同時に各プラットフォームに対応するアプリケーションを開発しており、現在主流なＡｎｄｒｏｉｄ、Ｗｉｎｄｏｗｓ（登録商標）、ｉＯＳ（登録商標）システムのプラットフォームを全面的にサポートし、これら全てで使用可能なシステムである。
【図面の簡単な説明】
【００１５】
【図１】本考案に係る読み取りペンを示す外観斜視図である。
【考案を実施するための形態】
【００１６】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１７】
本考案に係るアプリケーションによりクラウドオーディオビデオを再生するための読み取りペン１は、ワイヤレス伝送機能を具備するワイヤレス伝送機能部１０を備えている。
ワイヤレス伝送機能部１０は、ＷｉｆｉやＢｌｕｅｔｏｏｔｈを介してスマートデバイスと接続され、且つ非可視型コードが印刷されている本から数値を獲得すると共に数値をスマートデバイスに伝送させ、スマートデバイスと各プラットフォームのアプリケーションソフトウェアとの相互接続が行われる。
前記スマートデバイスはＷｉｆｉやＢｌｕｅｔｏｏｔｈを介して各プラットフォームのアプリケーションソフトウェアと接続され、前記アプリケーションソフトウェアはユーザー管理情報、オーディオダウンロード、ビデオダウンロード、クラウドブック管理、及びオーディオビデオ再生機能を含む。
前記各プラットフォームのアプリケーションソフトウェアはクラウドサーバーを介してクラウド管理を行い、アプリケーションでオーディオビデオを再生することにより対応するオーディオビデオの数値再生を行う。前記スマートデバイスとしてテレビ、アンドロイドスマートフォン、ｉＰｈｏｎｅ、タブレット端末、及びノートパソコン等を含む。
【００１８】
また、オーディオビデオの再生端はローカルの表示装置にはなく、本考案はテレビ、ＴＶＢＯＸ、タブレット端末、携帯電話、ノートパソコン、デスクトップパソコン等の主流なスマートデバイスを広くサポートし、使用可能である。ビデオソースはアップコンバート可能であり、本考案はスマートデバイスのネット機能を利用してクラウドサーバーに接続されている。使用者はアプリケーションを使用して必要なビデオソースのダウンロード、更新、及び管理を簡単便利に行えるようになる。
本考案ではクロスプラットフォームのアプリケーションソフトウェアシステムを採用しており、同時に各プラットフォームに対応するアプリケーションを開発しており、現在主流なＡｎｄｒｏｉｄ、Ｗｉｎｄｏｗｓ、ｉＯＳシステムのプラットフォームを全面的にサポートし、これら全てで使用可能なシステムである。
【００１９】
本考案は、従来の読み取りペン１ではオーディオファイルやプログラムを保存するために大量の内部メモリを内蔵する必要があり、製造コストが巨額になる、という欠点を克服する。
本考案に係るワイヤレス伝送機能を具備する前記読み取りペン１は非可視型コードが印刷されている本から数値を獲得すると共に数値をスマートデバイスに伝送させ、スマートデバイスと各プラットフォームのアプリケーションソフトウェアとの相互接続が行われる。このため、全てのデータを読み取りペン１本体の内部メモリに保存する必要がない。内部メモリに基本動作ソフトウェアをロードするのみであるため、コストが低下し、製品の普及率が高まる。
【００２０】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２１】
１  アプリケーションによりクラウドオーディオビデオを再生するための読み取りペン
１０  ワイヤレス伝送機能部
【図１】
0003227858.tif 000003
【手続補正書】
【提出日】令和2年6月19日(2020.6.19)
【手続補正１】
【補正対象書類名】実用新案登録請求の範囲
【補正対象項目名】全文
【補正方法】変更
【補正の内容】
【実用新案登録請求の範囲】
【請求項１】
非可視型コードが印刷されている本に使用される、アプリケーションによりクラウドオーディオビデオを再生するための読み取りペンであって、
ワイヤレス伝送機能部と、内部メモリと、を具備し、
前記ワイヤレス伝送機能部が、非可視型コードが印刷されている本から数値を獲得すると共に前記数値をスマートデバイスに伝送し、
前記スマートデバイスが、各プラットフォームのアプリケーションソフトウェアと相互接続し、
前記内部メモリ中に基本動作ソフトウェアのみがロードされ、他の音声データは搭載されないことを特徴とする、
アプリケーションによりクラウドオーディオビデオを再生するための読み取りペン。
【請求項２】
前記スマートデバイスが、テレビ、アンドロイド（登録商標）スマートフォン、ｉＰｈｏｎｅ（登録商標）、タブレット端末、又はノートパソコンを含むことを特徴とする請求項１に記載のアプリケーションによりクラウドオーディオビデオを再生するための読み取りペン。
【請求項３】
前記アプリケーションソフトウェアが、ユーザー管理情報、オーディオダウンロード、ビデオダウンロード、クラウドブック管理、又はオーディオビデオ再生機能を含むことを特徴とする請求項１に記載のアプリケーションによりクラウドオーディオビデオを再生するための読み取りペン。
【請求項４】
前記アプリケーションソフトウェアが、クラウドサーバーを介してクラウド管理を行うことを特徴とする請求項１に記載のアプリケーションによりクラウドオーディオビデオを再生するための読み取りペン。
【請求項５】
前記アプリケーションソフトウェアが、アプリケーションでオーディオビデオを再生することにより対応するオーディオビデオの数値再生を行うことを特徴とする請求項１に記載のアプリケーションによりクラウドオーディオビデオを再生するための読み取りペン。
【請求項６】
前記ワイヤレス伝送機能部が、無線伝送手段によって前記スマートデバイスに接続されることを特徴とする請求項１に記載のアプリケーションによりクラウドオーディオビデオを再生するための読み取りペン。
【請求項７】
前記スマートデバイスが、Ｗｉｆｉ（登録商標）又はＢｌｕｅｔｏｏｔｈ（登録商標）を介して前記各プラットフォームのアプリケーションソフトウェアに接続されることを特徴とする請求項１に記載のアプリケーションによりクラウドオーディオビデオを再生するための読み取りペン。